(57)【要約】【課題】心身医療の専門療法における認定資格及び各認定資格の詳細な内容を分かり易く表示した一覧表を提供する。【解決手段】少なくとも２５０種の心身医療の専門療法の各専門療法毎に設けられた認定資格の全てを表示するための認定資格一覧表であって、前記少なくとも２５０種の専門療法を複数の種分に分類した各種分毎に設けられかつ同一面上に配置された複数の種分枠（Ａ、Ｂ．．．Ｕ）と、前記種分枠の最上位置に設けられかつ該当する種分名を表記した種分名欄（１１）と、前記種分名欄の下に横並びに設けられた２つのデータ列（１２、１３）と、を備え、前記２列のデータ列のうち第１のデータ列は、前記認定資格の通し番号を表記した番号データ列（１２）であり、第２のデータ列は、前記認定資格の名称を表記した認定資格データ列（１３）である。【選択図】図１
0003172903.tif 000002
【実用新案登録請求の範囲】
【請求項１】
少なくとも２５０種の心身医療の専門療法の各専門療法毎に設けられた認定資格の全てを表示するための認定資格一覧表であって、
前記少なくとも２５０種の専門療法を複数の種分に分類した各種分毎に設けられかつ同一面上に配置された複数の種分枠（Ａ、Ｂ．．．Ｕ）と、
前記種分枠内の最上位置に設けられかつ該当する種分名を表記した種分名欄（１１）と、
前記種分名欄の下に横並びに設けられた２つのデータ列（１２、１３）と、を備え、
前記２列のデータ列のうち第１のデータ列は、前記認定資格の通し番号を表記した番号データ列（１２）であり、第２のデータ列は、前記認定資格の名称を表記した認定資格データ列（１３）であることを特徴とする、心身医療専門療法の認定資格一覧表。
【請求項２】
請求項１に記載の心身医療専門療法の認定資格一覧表と、前記認定資格一覧表と組み合わせて用いられる修得内容一覧表と、を含む一覧表の組合せであって、
前記修得内容一覧表は、
各種分毎に設けられた修得内容種分枠と、
前記修得内容種分枠内の最上位置に横並びに設けられかつ少なくとも種分項目欄（２１１）、番号項目欄（２２１）及び修得内容項目欄（２５０）を含む複数の項目欄と、
前記項目欄の下にそれぞれ対応して横並びに設けられた種分データ列（２１２）、番号データ列（２２２）及び修得内容データ列（２５２ｂ、２５２ｄ、２５２ｆ）と、を備え、
前記修得内容項目欄（２５０）は、横並びに設けられ各級数をそれぞれ表記した少なくとも３つの級項目欄（２５１ｂ、２５１ｄ、２５１ｆ）からなり、
前記種分データ列（２１２）には前記認定資格一覧表における前記種分名を表記し、
前記番号データ列（２２２）には前記認定資格一覧表における前記通し番号を表記し、
前記少なくとも３つの級項目欄にそれぞれ対応する前記修得内容データ列（２５２ｂ、２５２ｄ、２５２ｆ）には各級における少なくとも１０種の修得内容を表記したことを特徴とする、一覧表の組合せ。
【請求項３】
前記修得内容データ列の各級における前記少なくとも１０種の修得内容の各々に対して、修得済みか否かを記入できる確認記入列（２５２ａ、２５２ｃ、２５２ｅ）を設けたことを特徴とする、請求項２に記載の一覧表の組合せ。
【考案の詳細な説明】
【技術分野】
【０００１】
本考案は、心身医療の専門療法を修得したことを認定する資格を表示する一覧表に関する。
【背景技術】
【０００２】
本考案の対象とする、心身医療の専門療法の認定資格は、心身医療を対象とする医療・福祉施設の患者やデイケアメンバー、更に一般の学生、会社員、家族、医療・福祉従事者などが取得できるものである。認定資格を取得した患者等は、当該認定資格の内容である専門療法を他の患者に実施することでその症状を改善する。同時に、専門療法を他の患者に実施することで、認定資格をもつ患者等自身の症状も改善されたり良好な状態を維持できたりする。よって、１つ１つの認定資格を修得することが有意義なものとなる。
【０００３】
このような認定資格であるので、個々の専門療法が各患者に適した内容であることが最適であり、その結果、認定資格は極めて多種多様なものとなる。多岐に亘る各専門療法の認定資格を、独立した資格として認定すると、非常に多くの認定資格が存在することになる。例えば、日本心身医療研究会の認定資格は、２５９種類のものから構成されている。
【０００４】
ここで、多種多様な内容を分かり易く表示する一覧表には、特許文献１〜５のようなものがある。これらの特許文献のものは、心身医療の認定資格を表示するためのものではない。
【先行技術文献】
【特許文献】
【０００５】
【特許文献１】実開平６−２００７０号公報
【特許文献２】実開平７−３５０６０号公報
【特許文献３】実用新案登録第３０００２８１号公報
【特許文献４】実用新案登録第３０９８５８３号公報
【特許文献５】実用新案登録第３０９８１６３号公報
【考案の概要】
【考案が解決しようとする課題】
【０００６】
心身医療の専門療法における極めて多くの種類からなる認定資格の全体を把握できるような分かり易い一覧表は、未だ提示されていない。現状では、多様な分野に亘る認定資格を分類したり、各認定資格の詳細な内容を把握することは、容易ではない。
【０００７】
そこで、本考案の目的は、心身医療の専門療法における認定資格及び各認定資格の詳細な内容を分かり易く表示した一覧表を提供することである。
【課題を解決するための手段】
【０００８】
上記の目的を達成するべく本考案は、以下の構成を提供する。なお、括弧内の英数字は、後述する図面中の符号であり、参考のために付する。
【０００９】
本考案の第１の態様は、少なくとも２５０種の心身医療の専門療法の各専門療法毎に設けられた認定資格の全てを表示するための認定資格一覧表であって、前記少なくとも２５０種の専門療法を複数の種分に分類した各種分毎に設けられかつ同一面上に配置された複数の種分枠（Ａ、Ｂ．．．Ｕ）と、前記種分枠内の各々の最上位置に設けられかつ該当する種分名を表記した種分名欄（１１）と、前記種分名欄の下に横並びに設けられた２つのデータ列（１２、１３）と、を備え、前記２列のデータ列のうち第１のデータ列は、前記認定資格の通し番号を表記した番号データ列（１２）であり、第２のデータ列は、前記認定資格の名称を表記した認定資格データ列（１３）であることを特徴とする。
【００１０】
本考案の第２の態様は、上記の心身医療専門療法の認定資格一覧表と、前記認定資格一覧表と組み合わせて用いられる修得内容一覧表と、を含む一覧表の組合せであって、前記修得内容一覧表は、各種分毎に設けられた修得内容種分枠と、前記修得内容種分枠内の最上位置に横並びに設けられかつ少なくとも種分項目欄（２１１）、番号項目欄（２２１）及び修得内容項目欄（２５０）を含む複数の項目欄と、前記項目欄の下にそれぞれ対応して横並びに設けられた種分データ列（２１２）、番号データ列（２２２）及び修得内容データ列（２５２ｂ、２５２ｄ、２５２ｆ）と、を備え、前記修得内容項目欄（２５０）は、横並びに設けられ各級数をそれぞれ表記した少なくとも３つの級項目欄（２５１ｂ、２５１ｄ、２５１ｆ）からなり、前記種分データ列（２１２）には前記認定資格一覧表における前記種分名を表記し、前記番号データ列（２２２）には前記認定資格一覧表における前記通し番号を表記し、前記少なくとも３つの級項目欄にそれぞれ対応する前記修得内容データ列（２５２ｂ、２５２ｄ、２５２ｆ）には各級における少なくとも１０種の修得内容を表記したことを特徴とする。
【００１１】
また、上記の一覧表の組合せにおいて、前記修得内容データ列の各級における前記少なくとも１０種の修得内容の各々に対して、修得済みか否かを記入できる確認記入列（２５２ａ、２５２ｃ、２５２ｅ）を設けたことが好適である。
【考案の効果】
【００１２】
本考案の第１の態様の認定資格一覧表では、２５０種以上の多数の認定資格を同一面上で同時に把握することが可能となる。また、種分に分かれているのでその認定資格の特質や類似の認定資格を把握しやすい。固有の通し番号により、類似の認定資格とも明確に区別できる。
【００１３】
本考案の第２の態様の認定資格一覧表と修得内容一覧表の組合せでは、各認定資格に含まれる３つの級の各々における１０種の修得内容を容易に把握することができる。また、修得済みか否かを示す確認記入列を設けると、修得内容一覧表を、個人毎の修得状況の管理表として利用できる。
【図面の簡単な説明】
【００１４】
【図１】図１は、本考案による認定資格一覧表の一実施例を概略的に示す図である。
【図２】図２は、図１の認定資格一覧表と組み合わせて用いられる修得内容一覧表の一実施例を示す図である。
【図３】図３は、図１に概略的に示した認定資格一覧表を１枚の紙面に実際に印刷した実施例の全体を示した図である。
【図４】図４は、図２に概略的に示した修得内容一覧表を紙面に実際に印刷した一実施例を示した図である。
【図５】図５は、図２に概略的に示した修得内容一覧表を紙面に実際に印刷した別の実施例を示した図である。
【考案を実施するための形態】
【００１５】
本考案は、心身医療の専門療法に関する認定資格であって、少なくとも２５０種に細分化された認定資格を表示する一覧表を提供するものである。ここでは、日本心身医療研究会の認定資格である２５９種類の認定資格を表示する一覧表を実施例として説明する。
【００１６】
この認定資格は、心身医療を対象とする医療・福祉施設の患者・入居者やデイケアメンバー、更に家族、医療・福祉従事者などが取得するものである。認定資格を取得した患者等は、当該認定資格の内容である専門療法を他の患者に実施することでその症状を改善する。同時に、専門療法を他の者に実施することで、認定資格をもつ患者自身の症状も改善されたり良好な状態を維持できたりするものである。よって、この心身医療の専門療法の認定資格は、療法を実施される者と実施する者の相互支援するためのものである。
【００１７】
この認定資格の内容は、患者の症状のみにとらわれず、患者の過去の体験、趣味、特技などを考慮して多面的かつ人間的な支援を重視したものである。病気、症状ばかりに焦点をあてた治療では、根本的解決が困難なためである。そして、患者の人生史を重視し、個人のニーズに合わせた、明るく楽しくピア・サポート（仲間による支援）サービスを提供するためには、多項目に細分化する必要があった。また、多項目に細分化することで、患者が１つ１つ認定資格を取得していくという、達成感を経験できることにも意義がある。
【００１８】
さらに、この認定資格は、患者、デイケアメンバーなどが、復学や就労などの社会復帰を目指す上での生きがいや目標などの獲得にも貢献できる。認定資格を具体的かつ段階的にすることで、次の目標が明確になり、行動化がし易くなる。
【００１９】
認定資格の種類は２５９種類あり、２１個の種分に分類されている。各認定資格は、３〜１級の段階があり、各級には取得すべき１０項目の詳細な療法内容が規定されている。
【００２０】
本考案による一覧表は、上記の２５９種類の認定資格を種分毎に表示した認定資格一覧表と、各認定資格の各級毎の１０項目の詳細な修得内容を表示した修得内容一覧表とから構成されている。
【００２１】
以下、実施例を示した図面を参照しつつ、本考案の実施の形態を説明する。なお、本考案による一覧表の説明において、「枠」は直線で囲まれた矩形の枠を意味し、「欄」は枠内において直線で囲まれた１つの矩形の区画を意味し、「列」は同じ大きさの欄を複数個縦方向に並べたものを意味する。
【００２２】
図１は、本考案による認定資格一覧表の一実施例を概略的に示す図である。実際のデータ内容は、大部分を省略して示している。
【００２３】
本実施例の認定資格一覧表１には、日本心身医療研究会の認定資格である２５９種類の専門療法の認定資格の全てが表示されている。２５９種類の専門療法を分類した２１個の各種分毎に複数の種分枠Ａ、Ｂ．．．Ｕが設けられ、同一面上に配置されている。各種分に含まれる認定資格の数は様々であるので、各種分枠の縦方向の長さも様々となる。各種分枠の横幅は一定である。図示の例では、全体的にほぼ矩形となるように４段で配置されている。
【００２４】
各種分枠は、その枠内の最上位置に種分名欄１１が設けられ、種分名欄１１には、該当する種分名が表記されている。種分名は、末尾の「療法」を省略して表記しているものがある。例えば、「認知行動・内観」は、正確には「認知行動療法・内観療法」である。
【００２５】
種分名欄１１の下には、２つのデータ列１２、１３が横並びに設けられている。２列のデータ列のうち左側の第１のデータ列１２は、２５９種の認定資格の通し番号を表記した番号データ列１２である。右側の第２のデータ列は、認定資格の名称を表記した認定資格データ列１３である。但し、認定資格の名称は、冒頭の「日本」と末尾の「療法士」を省略して表記している。例えば、「内観」は、正確には「日本内観療法士」である。
２１個の種分枠の詳細は、それぞれ以下の通りである。
【００２６】
種分：認知行動療法・内観療法
【表１】
0003172903.tif 000003
【００２７】
種分：新断酒会
【表２】
0003172903.tif 000004
【００２８】
種分：ＡＡ
【表３】
0003172903.tif 000005
【００２９】
種分：心理療法・家族療法
【表４】
0003172903.tif 000006
【００３０】
種分：児童・思春期
【表５】
0003172903.tif 000007
【００３１】
種分：ピア・サポート
【表６】
0003172903.tif 000008
【００３２】
種分：家族ピア・サポート
【表７】
0003172903.tif 000009
【００３３】
種分：小弓道療法
【表８】
0003172903.tif 000010
【００３４】
種分：書道・ペン字
【表９】
0003172903.tif 000011
【００３５】
種分：ゲーム
【表１０】
0003172903.tif 000012
【００３６】
種分：スポーツ・遊技・作業療法
【表１１】
0003172903.tif 000013
【００３７】
種分：手芸
【表１２】
0003172903.tif 000014
【００３８】
種分：季節リハビリ
【表１３】
0003172903.tif 000015
【００３９】
種分：薬物療法
【表１４】
0003172903.tif 000016
【００４０】
種分：音楽療法
【表１５】
0003172903.tif 000017
【００４１】
種分：医療・看護・介護
【表１６】
0003172903.tif 000018
【００４２】
種分：部署連携サービス
【表１７】
0003172903.tif 000019
【００４３】
種分：病院，デイケア，老人施設見学・実習
【表１８】
0003172903.tif 000020
【００４４】
種分：生活療法
【表１９】
0003172903.tif 000021
【００４５】
種分：古典・宗教・倫理・道徳
【表２０】
0003172903.tif 000022
【００４６】
種分：美術・映画
【表２１】
0003172903.tif 000023
【００４７】
本考案は、上述した心身医療専門療法の認定資格一覧表と組み合わせて用いられる修得内容一覧表も提供する。上述した認定資格は、各々が複数の級からなる。実施例として３つの級からなる。また、各級の修得内容が複数の項目からなる。実施例として１０項目の修得内容からなる。従って、全ての修得内容を把握するためには、見易い一覧表が有効である。
【００４８】
図２は、図１の認定資格一覧表１と組み合わせて用いられる修得内容一覧表２の一実施例を示す図である。
先ず、各種分毎に修得内容種分枠が設けられる。修得内容種分枠内の最上位置には、横並びに、少なくとも種分項目欄２１１、番号項目欄２２１及び修得内容項目欄２５０を含む複数の項目欄が設けられる。さらに、各項目欄の下にそれぞれ対応して、横並びに、種分データ列２１２、番号データ列２２２及び修得内容データ列２５２ｂ、２５２ｄ、２５２ｆが設けられる。
【００４９】
修得内容項目欄２５０は、横並びに設けられ「１級」、「２級」及び「３級」の各級数をそれぞれ表記した少なくとも３つの級項目欄２５１ｂ、２５１ｄ、２５１ｆからなる。
【００５０】
種分データ列２１２には、上述の認定資格一覧表における種分名を表記する。番号データ列２２２には、認定資格一覧表における通し番号を表記する。３つの級項目欄にそれぞれ対応する修得内容データ列２５２ｂ、２５２ｄ、２５２ｆには各級における１０種の修得内容を表記する。
【００５１】
また、修得内容データ列の各級における１０種の修得内容の各々について、修得済みか否かを記入できることが好適である。このために、各級項目欄２５１ｂ、２５１ｄ、２５１ｆと横並びに各確認項目欄２５１ａ、２５１ｃ、２５１ｅが設けられる。各確認項目欄２５１ａ、２５１ｃ、２５１ｅの下に、確認記入列２５２ａ、２５２ｃ、２５２ｅがそれぞれ設けられる。例えば、当該修得内容を修得したときに、チェックマークを入れる。
【００５２】
項目欄には、その他に責任者欄２４１及び備考欄２６１を設け、それぞれの下に責任者データ列２４２及び備考データ列２６２を設けてもよい、
【００５３】
図３は、図１に概略的に示した認定資格一覧表を１枚の紙面に実際に印刷した実施例の全体を示した図である。例えば、Ａ３用紙に印刷する。
【００５４】
図４及び図５はそれぞれ、図２に概略的に示した修得内容一覧表を紙面に実際に印刷した実施例を示した図である。図４では、種分名「認知行動療法・内観療法」の一部を示している。図５では、種分名「スポーツ療法・遊技療法・作業療法」の一部を示している。認定資格を多数含む種分については、種分枠が複数の頁に亘って印刷される。認定資格の少ない種分については、種分枠が１頁に納まる。
【００５５】
以上述べた通り、本考案は、入院患者、デイケアメンバー、家族などの受療者、さらに一般人、医療従事者など、立場・役割などの垣根を越えたノーマライゼーション的な活動を一覧表にしたものである。みんなが一緒に楽しく、かつ気軽に参加できる健全な活動を促進するためのものである。その結果、患者は症状が安定し、一般人はより健康的な生活を保持し、疾病の予防に繋がる。このように、対象は患者に留まらず、一般人、家族、医療従事者など幅広いものとなる。
【符号の説明】
【００５６】
１  認定資格一覧表
Ａ、Ｂ．．．Ｕ  種分枠
１１  種分名欄
１２  番号データ列
１３  認定資格データ列
２  修得内容一覧表
２１１  種分項目欄
２１２  種分データ列
２２１  番号項目欄
２２２  番号データ列
２３１  認定資格項目欄
２３２  認定資格データ列
２４１  責任者項目欄
２４２  責任者データ列
２５    修得内容項目欄
２５１ａ、２５１ｃ、２５１ｅ  確認項目欄
２５２ａ、２５２ｃ、２５２ｅ  確認記入列
２５１ｂ、２５１ｄ、２５１ｆ  級項目欄
２５２ｂ、２５２ｄ、２５２ｆ  修得内容データ列
２６１  備考項目欄
２６２  備考データ列
【図１】
0003172903.tif 000024
【図２】
0003172903.tif 000025
【図３】
0003172903.tif 000026
【図４】
0003172903.tif 000027
【図５】
0003172903.tif 000028